(57)【要約】【課題】光ディスクに記録された１つの連続した映像の中に異なる解像度の映像が含まれる場合であっても、映像の連続性が途切れることなく、かつ広範囲の解像度変換が可能な光ディスク再生装置を提供する。【解決手段】本発明に係る光ディスク再生装置は、光ディスクに記録されている複数の解像度の映像データを１つの特定の解像度の映像データに変換する第１のスケーラと、特定の解像度に変換された映像データを、指定される解像度の映像データに変換する第２のスケーラと、を備えたことを特徴とする。【選択図】  図３
2008141322.tif 000002
【特許請求の範囲】
【請求項１】
光ディスクに記録されている複数の解像度の映像データを１つの特定の解像度の映像データに変換する第１のスケーラと、
前記特定の解像度に変換された映像データを、指定される解像度の映像データに変換する第２のスケーラと、
を備えたことを特徴とする光ディスク再生装置。
【請求項２】
前記第１のスケーラは、
前記映像データが連続している場合であっても、その出力映像データが途切れることなく解像度の変換を行うスケーラであり、
前記第２のスケーラは、その解像度変換範囲が、前記第１のスケーラの解像度変換範囲よりも広いスケーラである、
ことを特徴とする請求項１に記載の光ディスク再生装置。
【請求項３】
前記第１のスケーラは、Ｄ４規格の解像度まで対応可能なスケーラであり、
前記第２のスケーラは、Ｄ５規格の解像度まで対応可能なスケーラである、
ことを特徴とする請求項１に記載の光ディスク再生装置。
【請求項４】
前記光ディスクに記録された映像データの属性情報の中から、前記光ディスクに含まれる最大の解像度を検索する解像度検索部、をさらに備え、
前記第１のスケーラは、前記解像度検索部によって検索された前記最大の解像度を、前記１つの特定の解像度として変換する、
ことを特徴とする請求項１に記載の光ディスク再生装置。
【請求項５】
前記光ディスクは、ＨＤ  ＤＶＤ規格対応の光ディスクである、
ことを特徴とする請求項１に記載の光ディスク再生装置。
【請求項６】
光ディスクに記録されている複数の解像度の映像データを１つの特定の解像度の映像データに変換する第１の変換ステップと、
前記特定の解像度に変換された映像データを、指定される解像度の映像データに変換する第２の変換ステップと、
を備えたことを特徴とする光ディスク再生方法。
【請求項７】
前記第１の変換ステップは、
前記映像データが連続している場合であっても、その出力映像データが途切れることなく解像度の変換を行い、
前記第２の変換ステップは、その解像度変換範囲が、前記第１の変換ステップの解像度変換範囲よりも広い、
ことを特徴とする請求項６に記載の光ディスク再生方法。
【請求項８】
前記第１の変換ステップは、Ｄ４規格の解像度まで対応可能であり、
前記第２の変換ステップは、Ｄ５規格の解像度まで対応可能である、
ことを特徴とする請求項６に記載の光ディスク再生方法。
【請求項９】
前記光ディスクに記録された映像データの属性情報の中から、前記光ディスクに含まれる最大の解像度を検索する解像度検索ステップ、をさらに備え、
前記第１の変換ステップは、前記解像度検索ステップにて検索された前記最大の解像度を、前記１つの特定の解像度として変換する、
ことを特徴とする請求項６に記載の光ディスク再生方法。
【請求項１０】
前記光ディスクは、ＨＤ  ＤＶＤ規格対応の光ディスクである、
ことを特徴とする請求項６に記載の光ディスク再生方法。
【発明の詳細な説明】
【技術分野】
【０００１】
本発明は、光ディスク再生装置及び光ディスク再生方法に係り、特に、光ディスクに記録された映像データを再生する光ディスク再生装置及び光ディスク再生方法に関する。
【背景技術】
【０００２】
今日、デジタルテレビ放送技術の進歩により、映像データの解像度は多様化してきている。
【０００３】
映像データの解像度の規格として、一般にＤ規格と呼ばれる規格がある。このＤ規格には、現在Ｄ１からＤ５までの解像度規格が存在する。これらの規格は、垂直方向の走査線数と走査方式とによって表現される。走査方式には、インターレース方式（飛び越し走査）とプログレッシブ方式（順次走査）の２種類があり、夫々‘i’と‘ｐ’のサフィックスとで区別される。また、Ｄ１からＤ５までの解像度規格は、水平方向と垂直方向のドット数とも対応付けられている。
【０００４】
例えば、Ｄ１規格は、「４８０ｉ」の解像度であり、また、「７２０×４８０ドット：インターレース」とも表現される。Ｄ２規格は、「４８０ｐ」の解像度であり、また、「７２０×４８０ドット：プログレッシブ」とも表現される。
【０００５】
以下、同様に、Ｄ３規格は、「１０８０ｉ」、「１９２０×１０８０ドット：インターレース」、Ｄ４規格は、「７２０ｐ」、「１２８０×７２０ドット：プログレッシブ」、Ｄ５規格は、「１０８０ｐ」、「１９２０×１０８０ドット：プログレッシブ」の解像度に対応する規格である。
【０００６】
なお、Ｄ５規格によるテレビ放送は、現時点では行われていないが、映像装置の上位機種には、Ｄ５規格に対応した製品がある。このように、映像の解像度は多様化してきている。
【０００７】
一方、放送映像信号を入力し、表示する映像表示装置では、液晶テレビやプラズマテレビ等のように画素をマトリクス状に配列したディスプレイ装置を備える形態が近年主流となってきている。これらのディスプレイ装置では、基本的にはマトリクスを構成する縦横のドット数によって解像度が定まるため、解像度は固定となる。
【０００８】
そこで、映像表示装置では、入力される多様な解像度からディスプレイ装置に固有の解像度に変換する機能が必要となる。この機能を実現する手段がスケーラと呼ばれるものである。例えば、特許文献１には、映像表示装置におけるスケーラを２段のスケーラで構成し、広範囲の解像度変換を可能にする技術が開示されている。
【特許文献１】特開２００３−３０９７８３号公報
【発明の開示】
【発明が解決しようとする課題】
【０００９】
他方、解像度変換の技術は、ＤＶＤ等の光ディスクを再生する光ディスク再生装置においても必要となってきている。従来型のＤＶＤの解像度はＤ１規格だけに基づくものであり、従来型のＤＶＤを再生する場合は、いわば固定的な解像度変換だけで十分であった。
【００１０】
これに対して、近時普及しつつあるＨＤ  ＤＶＤ等の高密度型光ディスクでは、１つの光ディスクの中に多様な解像度の映像を記録することが可能となっている。このため、広い範囲の解像度変換、例えば、Ｄ１規格からＤ５規格までの範囲の相互の解像度変換が光ディスク再生装置にも必要となってきている。
【００１１】
さらに、ＨＤ  ＤＶＤ等の高密度型光ディスクでは１つの連続した映像の中にも異なる解像度の映像が含まれ得る。このため、光ディスクから出力される映像の解像度が切り換わった場合でも、映像の連続性が途切れることがないように解像度を変換する必要がある。
【００１２】
本発明は、上記事情に鑑みてなされたものであり、光ディスクに記録された１つの連続した映像の中に異なる解像度の映像が含まれる場合であっても、映像の連続性が途切れることなく、かつ広範囲の解像度変換が可能な光ディスク再生装置及び光ディスク再生方法を提供することを目的とする。
【課題を解決するための手段】
【００１３】
上記課題を解決するため、本発明に係る光ディスク再生装置は、請求項１に記載したように、光ディスクに記録されている複数の解像度の映像データを１つの特定の解像度の映像データに変換する第１のスケーラと、前記特定の解像度に変換された映像データを、指定される解像度の映像データに変換する第２のスケーラと、を備えたことを特徴とする。
【００１４】
また、上記課題を解決するため、本発明に係る光ディスク再生方法は、請求項６に記載したように、光ディスクに記録されている複数の解像度の映像データを１つの特定の解像度の映像データに変換する第１の変換ステップと、前記特定の解像度に変換された映像データを、指定される解像度の映像データに変換する第２の変換ステップと、を備えたことを特徴とする。
【発明の効果】
【００１５】
本発明に係る光ディスク再生装置及び光ディスク再生方法によれば、光ディスクに記録された１つの連続した映像の中に異なる解像度の映像が含まれる場合であっても、映像の連続性が途切れることなく、かつ広範囲の解像度変換が可能である。
【発明を実施するための最良の形態】
【００１６】
本発明に係る光ディスク再生装置及び光ディスク再生方法の実施形態について、添付図面を参照して説明する。
【００１７】
（１）光ディスク再生装置の構成及び基本動作
図１は、本実施形態に係る光ディスク再生装置１の構成例を示す図である。光ディスク再生装置１は、ＨＤ  ＤＶＤや従来型ＤＶＤ等の各種の光ディスク１００に記録された映像音声データを読み取り、各種の再生処理を行った後、最終的にビデオ信号とオーディオ信号として表示装置、例えば液晶テレビ受信装置のディスプレイ装置に出力する装置である。
【００１８】
光ディスク再生装置１は、上流側から、ディスクドライブ部１０、データプロセッサ部２０、分離部（ＤＭＵＸ）部３０、ビデーデコーダ部３１、サブピクチャデコーダ部３２、グラフィックデコーダ部３３、オーディオデコーダ部３４を備えて構成されている。
【００１９】
さらに下流側には、ビデオ系列として、ビデオプロセッサ部４０（第１のスケーラ５０を内蔵している）、解像度検索部７０、第２のスケーラ６０、及びＤ／Ａ部９０が設けられている。また、オーディオ系列としては、オーディオデコーダ部３４の後段にもＤ／Ａ部９１が設けられている。
【００２０】
さらに、光ディスク再生装置１は、ＭＰＵ部９２、メモリ部９３、ＲＯＭ部９４、操作表示部９５を備えている。
【００２１】
上記のように構成された光ディスク再生装置１の基本的な動作について以下に概略説明する。
【００２２】
光ディスク１００はディスクドライブ部１０に装着される。ディスクドライブ部１０は、装着された光ディスク１００を回転駆動し、光ピックアップ（図示せず）を用いて光ディスク１００に記録されている映像音声データ等（映像音声データの他、各種の管理情報を含む）を読み取る。
【００２３】
ディスクドライブ部１０で読み取られた映像音声データ等は、データプロセッサ部２０に入力される。データプロセッサ部２０では、映像音声データ等に対してエラー訂正処理等を行った後、内部のバッファ（図示せず）に一時的に格納する。格納されたデータのうち、管理情報はメモリ部９３に記録され、後段の再生制御やデータ管理等に利用される。また、バッファに格納された映像音声データは、分離部３０に転送される。
【００２４】
分離部３０では、映像音声データを、ビデオデータ、サブピクチャデータ、グラフィックデータ、及びオーディオデータに分離し、夫々、ビデオでコーダ部３１、サブピクチャ部３２、グラフィックデコーダ部３３、及びオーディオデコーダ部３４へ出力する。
【００２５】
ここで、サブピクチャデータは主映像であるビデオデータに対して副映像とも呼ばれ、字幕等の映像データのことである。
【００２６】
各デコーダ部３１、３２、３３、３４では、入力されたデータのデコード処理を行う。
【００２７】
ビデオデコーダ部３１でデコード処理された主映像データ、サブピクチャ部３２でデコード処理されたサブピクチャデータ、及びグラフィックデコーダ部３３でデコード処理されたグラフィックデータは、ビデオプロセッサ部４０に入力され、ここでこれらの３種の映像データが重畳される。
【００２８】
重畳された映像データは、第１のスケーラ５０、及び第２のスケーラ６０によって後述する解像度変換処理を行った後、Ｄ／Ａ部９０にてアナログビデオ信号に変換して外部の映像表示装置、例えば液晶テレビ受信装置のディスプレイ装置に出力する。
【００２９】
一方、オーディオデコーダ部３４でデコード処理されたオーディオデータもＤ／Ａ部９１にてアナログオーディオ信号に変換され、外部の映像表示装置や音声出力装置へ出力される。
【００３０】
ＭＰＵ部９２は、光ディスク再生装置１全体の制御や処理を行っている。ＲＯＭ部９４に格納されたプログラムに基づいて、各部の制御や処理を実行する。
【００３１】
操作表示部９５は、キーやボタン等のデータ入力手段と備える他、ＬＥＤパネル等のデータ表示手段を具備している。ユーザの操作によって操作表示部９５から種々の設定が行われる。ＭＰＵ部９２では、ユーザによって設定された内容に基づいて、各種の制御内容や処理内容を決定し、或いは変更する。
【００３２】
なお、図１の中に点線で示した範囲の各部は、１つの多機能大規模集積回路８０として実装されることを示している。このように、多くの機能を１つの多機能ＬＳＩに集積化することによって、ハードウェアの小型化と量産コストの低減化を実現できる。点線で示した範囲は一例を示すものであり、これより小さな範囲の機能や、逆にさらに広い範囲の機能を多機能ＬＳＩとして集積化する形態でも良い。
【００３３】
（２）光ディスク再生方法
次に、光ディスク再生方法、特に第１、第２のスケーラ５０、６０による解像度変換処理方法について説明する。
【００３４】
図２は、現在映像データの解像度として規格化されているものをまとめた表である。映像データの解像度は垂直走査線の本数と走査方式（インターレース方式或いはプログレッシブ方式の何れか）とによって表わされる。また横（水平）と縦（垂直）のドット数で表現される場合もあり、図２にはドット数表記も併記している。
【００３５】
解像度はＤ規格と呼ばれる名称で識別されており、現在Ｄ１からＤ５まで規格化されている。Ｄに付された数字が大きくなるほど解像度が高くなる。
【００３６】
通常、「Ｄｎ（ｎは１から５）規格対応」と言う場合、ｎ以下の総ての規格の解像度の取り扱いが可能である、という意味で用いられる。例えば、「Ｄ３規格対応」と言う場合、Ｄ３，Ｄ２、Ｄ１の規格に対応していることを表わしている。しかしながら、説明上は規格名と解像度とを１対１に対応させた方が便利なため、ここでは、規格の最大解像度をその規格の解像度として説明することにする。例えば、Ｄ３規格は、有効垂直走査線の本数は１０８０本、インターレース方式（ドット数表記では、１９２０×１０８０ドット）に対応させるものとする。
【００３７】
Ｄ１規格は、従来からのアナログテレビ放送で用いられている解像度である。また、従来型のＤＶＤもＤ１規格の解像度である。
【００３８】
Ｄ２規格は、Ｄ１規格の走査方式をインターレース方式からプログレッシブ方式にしたものである。一部の従来型ＤＶＤ再生機では、Ｄ１規格の解像度をプログレッシブ化し、Ｄ２規格の映像データ出力機能を装備したものがある。
【００３９】
Ｄ３規格は、現在多くのハイビジョン放送で用いられている解像度の規格であり、１９２０×１０８０ドット（インタレース）の解像度をもつ。
【００４０】
Ｄ４規格は、デジタル放送の初期の一部に用いられたが、現在はＤ４規格の解像度での放送は行われていない。しかしながら、多くのデジタルハイビジョンテレビは、Ｄ４規格の解像度の映像データまで入力が可能となっている。
【００４１】
Ｄ５規格は、現在規格化されている中で最も解像度の高い規格である。現時点で日本の放送では実用化されていないが、プロジェクタや薄型テレビの一部の高級機種には、Ｄ５規格に対応した製品がある。今後の普及が予想される規格である。
【００４２】
上記のＤ１からＤ５までの規格は、主にテレビ放送の解像度の観点から見た規格であるが、これら以外にも各種の解像度は存在する。
【００４３】
例えば、高密度記録媒体であるＨＤ  ＤＶＤの現在の規格では、上記のＤ１からＤ４までの規格の他、これらの中間的な解像度やアスペクト比（４：３や１６：９等）も含めて１０種類以上の解像度が規格化されている。
【００４４】
従来型のＤＶＤがＤ１規格の１種類の解像度であるのに対して、ＨＤ  ＤＶＤでは、多様な解像度の映像データが記録可能となっており、ＨＤ  ＤＶＤを再生する光ディスク再生装置１では、これらの複数の解像度の映像データを処理する機能が必要となってくる。
【００４５】
一方、光ディスク再生装置１から最終的に出力される映像データの解像度は、ユーザの指定による。例えば、ユーザが操作表示部９５を操作して所望の出力解像度を指定する。
【００４６】
このため、ＨＤ  ＤＶＤに記録されている映像データの解像度をユーザが指定した解像度に変換する機能が光ディスク再生装置１には必要となり、この機能を本実施形態では、第１のスケーラ５０と第２のスケーラ６０の２つのスケーラで実現している。
【００４７】
ところで、ＨＤ−ＤＶＤでは、１つの連続した映像コンテンツの中に異なる解像度の複数の映像データが含まれることを許容している。このため、これら複数の解像度の映像データをユーザが指定した解像度に変換するときには、映像の連続性が途切れることがないように変換する必要がある。
【００４８】
さらに、上述したように、今後は最高解像度であるＤ５規格の普及が予想される。このため、光ディスク再生装置１では、Ｄ１規格からＤ５規格までの広い範囲の解像度変換機能が求められてきている。
【００４９】
本実施形態に係る光ディスク再生装置１では、映像の連続性の維持機能と、Ｄ５規格まで含めた広範囲の解像度変換機能の２つを両立させるため、第１のスケーラ５０と第２のスケーラ６０の２つのスケーラを組み合わせて解像度変換を行っている。
【００５０】
図３は、第１のスケーラ５０と第２のスケーラ６０の機能分担も含めた２つのスケーラの動作を説明する図である。また、図４は、これらのスケーラの処理を中心とした光ディスク再生方法の処理例を示すフローチャートである。主にこれら２つの図を用いて本実施形態に係るスケーラの動作について説明する。
【００５１】
まず、ステップＳＴ１（図４）にて、光ディスク１００の記録データ（映像音声データ等）を再生する。記録データの読み取り自体はディスクドライブ部１０で行われ、読み取られた映像データは、データプロセッサ部２０、分離部３０、及びビデオデコーダ部３１等にて所定の処理が行われた後、第１のスケーラ５０を具備するビデオプロセッサ部４０に入力される。
【００５２】
本実施形態に係る第１のスケーラ５０の重要な役目は、異なった解像度をもった複数の映像データが連続して入力される場合であっても、連続性を途切れさすことなく特定の１つの解像度に変換することである。この特定の１つの解像度は、光ディスク再生装置１の内部で設定される解像度である。
【００５３】
特定の１つの解像度から、ユーザが指定する解像度に変換する役目は第２のスケーラ６０が担っている。
【００５４】
特定の１つの解像度は、再生しようとする光ディスク１００に記録されているコンテンツ映像の解像度に近い解像度が好ましい。光ディスク１００に記録されている元の映像の解像度に近い解像度に変換することによって、元の映像を忠実に再現できるからである。例えば、光ディスク１００に記録されている元の解像度がＤ１の場合、第１のスケーラ５０の出力解像度もＤ１となるようにすることで、忠実な再現性が実現できる。
【００５５】
また、光ディスク１００に記録されているコンテンツ映像の解像度が複数ある場合は、このうち最も高い解像度に変換するのが好ましい。例えば、光ディスク１００の中にＤ１規格の解像度の映像データとハイビジョン放送対応のＤ３規格の解像度の映像データとが含まれていた場合、Ｄ３規格の映像データを低い方の解像度であるＤ１規格に変換すると、後段の第２のスケーラ６０で元のＤ３規格、或いはこれ以上の解像度に変換しようとしても、元々のＤ３規格と同じ解像度には回復できないからである。
【００５６】
そこで、本実施形態では、光ディスク１００の記録データとして含まれている管理情報（属性情報）を用いて、光ディスク１００の映像データの中の最も高い解像度を検索し、この解像度を第１のスケーラ５０の変換すべき解像度として設定している。この処理をステップＳＴ２及びステップＳＴ３で行っている。
【００５７】
ステップＳＴ２では、光ディスク１００に記録されている管理情報（この管理情報の中に各コンテンツ映像の解像度が属性情報として含まれている）をメモリ部９３に格納する。次に、ステップＳＴ３にて、格納された属性情報の中から、最も高い解像度を検索し、第１のスケーラ５０に設定している。なお、解像度の検索は、図１における解像度検索部７０にて行っている。
【００５８】
図５は、光ディスク１００に記録されている解像度情報の所在を階層的に示した図である。解像度情報は、図５（ａ）に示した管理情報のうち、ビデオタイトルセット情報（ＶＴＳＩ）に含まれている。ビデオタイトルセット情報（ＶＴＳＩ）はさらに複数の区分に分類されており、この中のビデオタイトルセット・エンハンスドビデオオブジェクト・アトリビュートテーブル（ＶＴＳ_ＥＶＯＢ_ＡＴＲＴ）に属性情報は含まれている（図５（ｂ））。このテーブル（ＶＴＳ_ＥＶＯＢ_ＡＴＲＴ）内には、光ディスク１００に含まれている各映像データの属性情報が複数（ＶＴＳ_ＥＶＯＢ_ＡＴＲ＃１からＶＴＳ_ＥＶＯＢ_ＡＴＲ＃ＮまでのＮ個）含まれている（図５（ｃ））。
【００５９】
各属性情報の中に、それぞれ４ビットのソース画像解像度（Source  Picture  Resolution）と呼ばれる情報があり、これが映像データの解像度を識別する情報である（図５（ｄ），図５（ｅ））。
【００６０】
解像度検索部７０では、この解像度情報を光ディスク１００内の総ての映像データに対して検索し（例えば＃１から＃Ｎまで検索し）、最も高い解像度を抽出して第１のスケーラ５０に設定する。
【００６１】
第１のスケーラ５０は、その出力解像度が解像度検索部７０から設定された解像度になるように、入力映像データの解像度変換を行う（ステップＳＴ４）。
【００６２】
図３に示した例では、光ディスク１００には、Ｄ１、Ｄ３、Ｄ３ａ、Ｄ４、Ｄ４a、Ｄ３といった異なる解像度の映像データが含まれており、これらが連続した映像データとして第１のスケーラ５０に入力される。ここで、「Ｄ３ａ」や「Ｄ４ａ」は、Ｄ１からＤ４の間にある中間の解像度としてＨＤ  ＤＶＤ規格に規定されている解像度を示している。この場合、解像度検索部７０は、これらの中から最も高い解像度として「Ｄ４」を検索、抽出し、第１のスケーラ５０に設定する。
【００６３】
第１のスケーラ５０を含むビデオ処理部４０は、ＨＤ  ＤＶＤ規格対応として構成されているものである。従って、第１のスケーラ５０に異なった解像度の映像データが連続して入力された場合でも、連続性を途切れさせることなく所定の解像度に変換できるように構成されている。いわば、動的な解像度変換機能が補償されている。このため、図３に示したように、第１のスケーラ５０の出力では、連続性の保たれたＤ４解像度の映像データを出力することができる。
【００６４】
但し、前述したようにＨＤ  ＤＶＤ規格は、現時点では最大Ｄ４規格の解像度までの対応であり、さらに解像度の高いＤ５規格までは対応していない。このため、第１のスケーラ５０だけでは、Ｄ５規格への対応はできない。
【００６５】
他方、前述したように、映像表示装置の一部の高級機種では既にＤ５規格の映像データが入力可能なものが出現している。これに対応すべく、少なくとも入力が静的な状態（連続する映像の中で解像度が動的に変化せず、一定の解像度の映像データが入力される状態）では、Ｄ１規格からＤ５規格までの広範囲の解像度変換が可能なスケーラが、例えば専用のＬＳＩ（集積回路）として実現されている。
【００６６】
本実施形態では、このような専用のＬＳＩを第２のスケーラ６０として、第１のスケーラ５０の後段に設ける形態としている。
【００６７】
第２のスケーラ６０は、ＨＤ  ＤＶＤの映像データのように解像度が動的に変化する映像データが直接入力された場合には対応できず、入力映像データの解像度が変ると、出力映像データは一時的に途切れてしまう。
【００６８】
しかしながら、本実施形態では、前段の第１のスケーラ５０にて、特定の解像度に固定されているため、このような途切れは発生しない。
【００６９】
第２のスケーラ６０では、第１のスケーラ５０から出力された映像データを、ユーザによって指定された解像度に変換して出力する（ステップＳＴ５）。
【００７０】
図３では、第２のスケーラ６０は、ユーザがＤ５規格の解像度を指定した場合にはＤ４規格からＤ５規格の解像度に変換し、また、ユーザがＤ３規格の解像度を指定した場合にはＤ４規格からＤ３規格の解像度に変換することを例示している。
【００７１】
ユーザが指定した解像度に変換された映像データは、Ｄ／Ａ部９０にてアナログビデオ信号に変換され外部に出力される（ステップＳＴ６）。
【００７２】
図６は、本実施形態に対する比較例として、最終的に出力される映像データに途切れ（不連続）が発生する状況を示している。
【００７３】
比較例における第１のスケーラ５０ａは、その出力の解像度を本実施形態のように固定するのではなく、図６に示したように、入力される映像データの解像度の変化に連動させて出力解像度を変化させている。前述したようにＨＤ  ＤＶＤの規格では中間的な解像度を含みうるが、光ディスク再生装置１に接続される通常の映像表示装置は、Ｄ１からＤ５の５種類のみの解像度に対応している。このため、図６に示した比較例では、中間的な解像度（「Ｄ３ａ」や「Ｄ４ａ」）を含む場合であっても、これらをＤ１からＤ５の５種類の中の最も近い解像度に変換している。
【００７４】
しかしながら、第１のスケーラ５０ａでこのような解像度変換処理を行うと、第２のスケーラ６０の入力の解像度が動的に変化することになるため、第２のスケーラ６０から出力される映像データは、図６に黒いハッチングで示したような一時的な途切れを生じることになってしまう。
【００７５】
これに対して、本実施形態では、第１のスケーラ５０の出力映像データの解像度を固定としているため、上記のような不連続性の発生は生じない。
【００７６】
以上説明してきたように、本実施形態に係る光ディスク再生装置及び光ディスク再生方法によれば、光ディスクに記録された連続した映像の中に異なる解像度の映像が含まれる場合であっても、第１のスケーラ５０の機能によって映像の連続性が途切れることなく、かつ第２のスケーラ６０の機能によってＤ１規格からＤ５規格まで含めた広範囲の解像度変換が可能となる。
【００７７】
また、第１のスケーラ５０に設定する特定の固定解像度を、光ディスク１００に含まれている映像の最大の解像度に設定することにより解像度の劣化が生じることがなく、また元の映像を忠実に再現できる。
【００７８】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００７９】
【図１】本発明に係る光ディスク再生装置の一実施形態の構成例を示す図。
【図２】映像データの解像度規格を表の形態で示した図。
【図３】本実施形態に係る光ディスク再生装置の解像度変換方法の一例を、第１のスケーラと第２のスケーラとの機能分担と共に説明する図。
【図４】本実施形態に係る光ディスク再生方法のうち、特に解像度変換方法の一例を重点的に示したフローチャート。
【図５】光ディスクに記録されている属性情報の所在を階層的に示す図。
【図６】本実施形態に対する比較例として、映像データの途切れが発生する形態を示す図。
【符号の説明】
【００８０】
１  光ディスク再生装置
１０  ディスクドライブ部
２０  データプロセッサ部
３０  分離部
３１  ビデオデコーダ部
４０  ビデオプロセッサ部
５０  第１のスケーラ
６０  第２のスケーラ
７０  解像度検索部
【図１】
2008141322.tif 000003
【図２】
2008141322.tif 000004
【図３】
2008141322.tif 000005
【図４】
2008141322.tif 000006
【図５】
2008141322.tif 000007
【図６】
2008141322.tif 000008